(57)【要約】【課題】携帯端末をポケットから出しているか否かを正確に判別し、ポケットから出している場合には、着信に対する応答を迅速に行うことができるようにする。【解決手段】着信時に照度の値が所定値未満である場合に、呼び出しの発生を示す音声および発呼者を特定する音声を、本体１と離れた場所に設けられたハンズフリー部２から出力させ、着信音を本体１に設けた音声入出力部９から出力させず、発呼者を特定する情報を本体１に設けた表示部８に表示させないようにしている。一方、着信時に照度の値が所定値以上である場合に、着信音を本体１に設けた音声入出力部９から出力させ、発呼者を特定する情報を本体１に設けた表示部８に表示させて、ハンズフリー部２を動作させないようにしている。これにより、使用者が本体１をポケットから出した場合に、使用者は表示部８に表示される情報を見ることで、呼び出しを行った相手を直ぐに特定することができる。【選択図】図２
2014011593.tif 000002
【特許請求の範囲】
【請求項１】
使用者によって手に持たれたり、袋状に形成されたポケットに入れられたりする本体と、
前記本体に設けられ、呼び出しを行った相手を特定する発呼者情報を含む着信信号を受信した場合に、自装置宛ての着信信号であるか否かを判定する着信判定部と、
前記本体に設けられ、周囲の照度を検出する照度センサーと、
前記本体に設けられ、前記呼び出しの発生および前記発呼者情報を表示する表示部と、
前記本体に設けられ、音声を入出力するための音声入出力部と、
前記本体と離れた位置に設けられ、前記本体と通信可能であり、前記使用者がハンズフリーで音声を入出力するためのハンズフリー部と、
前記本体および前記ハンズフリー部のいずれかに設けられ、前記発呼者情報を入力して音声に変換する音声変換部と、
前記着信判定部が自装置宛ての着信信号を受信したと判定した場合に、前記照度センサーにより検出された照度の値が所定値未満であるときには、前記呼び出しの発生を示す音声および前記音声変換部にて変換された前記発呼者情報を示す音声を前記ハンズフリー部から出力させるとともに、前記着信判定部が自装置宛ての着信信号を受信したと判定した場合に、前記照度センサーにより検出された照度の値が所定値以上であるときには、前記呼び出しの発生を示す音声を前記音声入出力部から出力させ、前記表示部を動作させて、前記ハンズフリー部を動作させないようにする制御部と、
を備えたことを特徴とする携帯端末。
【発明の詳細な説明】
【技術分野】
【０００１】
本発明は、呼び出しが行われると着信音を鳴らしたり呼び出しを行った相手を特定する情報を表示したりする携帯端末に関し、特に、携帯端末の本体をポケットなどに入れた状態でも使用可能とする携帯端末に関する。
【背景技術】
【０００２】
一般的に、病院などでは、ナースコールシステムが用いられている。ナースコールシステムは、病院内の患者が医者または看護師のサポートを必要とする際に、患者がナースコール子機に設けられた呼出操作部を操作することによって、ナースコール子機に接続されたナースコール親機にて報知が行われ、この報知によって医者や看護師（以下、これらをまとめて医療従事者と記載する）を呼び出すことができるように成されたシステムである。
【０００３】
多くのナースコールシステムは、病室内のベッド近傍に設置されるナースコール子機と、医療従事者が常駐するナースステーションに設置されるナースコール親機と、病室の出入口付近の廊下側に設置される廊下灯と、通話やデータの送受信に関する制御を行う制御機とを備えて構成されている。また、上述した構成に加えて、医療従事者が携帯するＰＨＳ（Personal Handy phone System）端末などの携帯端末とＰＢＸ（Private Branch Exchange：電話交換機）とを備えたナースコールシステムも提供されている。
【０００４】
ところで、医療従事者が携帯端末を携帯する場合、ナースコール子機に設けられた呼出操作部が操作されると、携帯端末にて報知が行われる。この報知は、例えば患者による呼び出しが行われていることを携帯端末のスピーカーから音声にて出力し、呼び出しを行った患者を特定するための情報を携帯端末のディスプレイに表示して行われる。このように、医療従事者が呼び出しを行った患者を特定するためには、携帯端末のディスプレイを見る必要がある。なお、このような携帯端末は、ナースコールシステム以外にも一般的に使用されている。その場合も、呼び出しが行われると、携帯端末のスピーカーから着信音が鳴り、呼び出しを行った相手（発呼者）を特定するための情報がディスプレイに表示される。
【０００５】
また、携帯端末は精密機器であるため、防水の加工が施されていない場合には、携帯端末に水を掛けたり、携帯端末を水没させたりすることは故障の原因となる。そのため、携帯端末をポケットなどに入れておくことが考えられる。しかしながら、携帯端末をポケットなどに入れておくと、医療従事者が携帯端末のディスプレイを見るためには、携帯端末をポケットから出す必要があるため、確認の動作に時間がかかったり、両手がふさがっているときには確認することができなかったりするという問題があった。
【０００６】
このような問題を解決するために、ハンズフリー機能と音声認識機能とを携帯端末に搭載する技術が知られている（例えば、特許文献１を参照）。特許文献１に記載の技術では、着信時に携帯端末を鳴動させ、電話をとるかどうか、および、呼び出しを行った相手の情報を音声合成にてスピーカーから出力して、電話をとることを示す音声をマイクに入力した場合に、ハンズフリー通話を開始するようにしている。これにより、携帯端末をポケットなどに入れたままでも着信に対する応答、および、呼び出しを行った相手を特定することができる。
【先行技術文献】
【特許文献】
【０００７】
【特許文献１】特開平１０−３０８８１８号公報
【発明の概要】
【発明が解決しようとする課題】
【０００８】
しかしながら、特許文献１に記載の技術では、医療従事者などの使用者が携帯端末をポケットなどから出すことができる状況であっても、呼び出しを行った相手の情報を音声合成にてスピーカーから出力し、電話をとることを示す音声をマイクに入力した場合に、はじめて通話が可能となるため、着信から応答まで時間がかかってしまうという問題があった。
【０００９】
本発明は、このような問題を解決するために成されたものであり、使用者が携帯端末をポケットなどから出しているか否かを正確に判別し、使用者が携帯端末をポケットなどから出している場合には、着信に対する応答を迅速に行うことができるようにすることを目的とする。
【課題を解決するための手段】
【００１０】
上述した課題を解決するために、本発明では、着信時に携帯端末本体の周囲の照度の値が所定値未満である場合に、呼び出しの発生を示す音声および発呼者を特定する音声を、本体と離れた位置に設けられたハンズフリー部から出力させ、着信音を本体から出力させず、発呼者を特定する情報を本体に表示させないようにしている。一方、着信時に携帯端末本体の周囲の照度の値が所定値以上である場合に、着信音を本体から出力させ、発呼者を特定する情報を本体に表示させて、ハンズフリー部を動作させないようにしている。
【発明の効果】
【００１１】
上記のように構成した本発明によれば、携帯端末の本体が袋状のポケットなどに入れられている場合には、本体の周囲の照度が所定値未満になるため、着信時に本体と離れた位置に設けられたハンズフリー部から呼び出しの発生を示す音声および発呼者を特定する音声が出力され、携帯端末の本体がポケットなどから出されている場合には、本体の周囲の照度が所定値以上になるため、着信時に着信音が本体から出力され、発呼者を特定する情報が本体に表示されて、ハンズフリー部が動作しないので、使用者が携帯端末の本体をポケットなどから出した場合に、使用者は表示される情報を見ることで、呼び出しを行った相手を直ぐに特定することができる。従って、使用者が携帯端末の本体をポケットなどから出しているか否かを正確に判別し、使用者が携帯端末の本体をポケットなどから出している場合には、着信に対する応答を迅速に行うことができる。
【図面の簡単な説明】
【００１２】
【図１】本実施形態による携帯端末の構成例を示すブロック図である。
【図２】本実施形態による携帯端末の使用例を示す図である。
【発明を実施するための形態】
【００１３】
以下、本発明の一実施形態を図面に基づいて説明する。図１は、本実施形態による携帯端末の構成例を示すブロック図である。この携帯端末は、本体１とハンズフリー部２とを備えて構成されている。ここで、本体１は、箱状の筺体により構成されており、使用時に使用者によって手に持たれ、不使用時にはストラップなどにより使用者の首に掛けられたり、袋状に形成されたポケットに入れられたりする。また、本体１は、制御部３、送受信部４，着信判定部５、記憶部６、照度センサー７、表示部８、音声入出力部９、インターフェース１０、操作部１１を備えて構成されている。
【００１４】
ハンズフリー部２は、本体１に接続されることで、本体１の音声入出力部９の代わりに音声を入力したり音声を出力したりする。一般的に、ハンズフリー部２は、ヘッドセットなどにより構成される。また、ハンズフリー部２は、ハンズフリー制御部１２、通信部１３、音声変換部１４、ハンズフリー音声入出力部１５、音声認識部１６を備えて構成されている。
【００１５】
まず、本体１の各構成要素について説明する。制御部３は、本体１内の各構成要素を後述するように制御するためのものであり、ＣＰＵ（Central Processing Unit）などにより構成されている。送受信部４は、外部機器からの呼び出しを着信するとともに、外部機器との間で通話を行うための音声信号の送受信を行う。ここで、外部機器とは、ナースコール子機や他の携帯端末、固定電話などである。
【００１６】
着信判定部５は、送受信部４が受信した着信信号が自装置への着信であるか否かを判定する。ここで、自装置への着信であるか否かは、自装置の電話番号（または識別情報）と着信信号に含まれる宛先の電話番号（または識別情報）との一致を判定することによって行われる。記憶部６は、メモリなどの記憶装置によって構成されており、上述した自装置の電話番号やアドレス帳などが記憶されている。
【００１７】
照度センサー７は、本体１の使用者によって持たれる可能性が低い面に設けられており、本体１の周囲の照度を測定して、測定した照度の値を制御部１１へ出力する。表示部８は、呼び出しを行った相手（発呼者）を特定する情報を表示する。ここで、発呼者の電話番号と発呼者の氏名とを関連付けて記憶部６に記憶させている場合には、制御部３は、患者の氏名を表示部８に表示させる。一方、発呼者の電話番号と発呼者の氏名とが関連付けて記憶部６に記憶されていない場合には、制御部３は、発呼者の電話番号をそのまま表示部８に表示させる。
【００１８】
音声入出力部９は、マイクおよびスピーカーにより構成されており、外部機器との間で通話が行われている際に、マイクにて集音した本体１の周囲の音声を音声信号に変換して制御部３へ出力するとともに、送受信部４が外部機器から受信した音声信号を音声に変換してスピーカーから放音する。また、着信が行われたことを着信判定部５にて判定した場合に、後述する条件において、音声入出力部９のスピーカーは着信音を出力する。
【００１９】
インターフェース１０は、本体１とハンズフリー部２とを接続するためのものであり、本実施形態では、本体１とハンズフリー部２とを無線にて接続している。また、インターフェース１０は、着信音の音声信号と発呼者を特定する情報とをハンズフリー部２へ出力するとともに、音声信号および応答信号をハンズフリー部２から入力する。
【００２０】
操作部１１は、自装置宛の着信があったと着信判定部５にて判定し、音声入出力部９から着信音が出力されている状態で操作するためのものであり、この操作部１１の操作により、制御部３は、外部機器との間で通話路を形成する。また、操作部１１は、本実施形態にて外部機器を呼び出す際に操作される。
【００２１】
次に、ハンズフリー部２の各構成要素について説明する。ハンズフリー制御部１２は、ハンズフリー部２の各構成要素を後述するように制御するためのものであり、ＣＰＵなどにより構成されている。
【００２２】
通信部１３は、ハンズフリー部２と本体１とを無線にて接続するためのものである。また、通信部１３は、音声信号および応答信号を本体１へ出力するとともに、着信音の音声信号と発呼者を特定する情報とを本体１から入力する。音声変換部１４は、通信部１３が入力した発呼者を特定する情報を音声信号に変換するためのものである。
【００２３】
ハンズフリー音声入出力部１５は、マイクおよびスピーカーにより構成されており、音声変換部１４にて変換された音声信号を音声に変換してスピーカーから出力するとともに、マイクにて集音したハンズフリー部２の周囲の音声を音声信号に変換して音声認識部１６へ出力する。音声認識部１６は、ハンズフリー音声入出力部１５のマイクにて入力された音声を音声認識する。
【００２４】
このように構成された携帯端末において、送受信部４が着信信号を受信し、着信判定部５が自装置宛の着信であると判定した場合に、制御部３は、照度センサー７にて検出された照度の値が所定値以上であるか所定値未満であるかを判定する。そして、照度センサー７にて検出された照度の値が所定値以上であると制御部３にて判定した場合に、制御部３は、着信音を音声入出力部９から出力させ、発呼者を特定する情報を表示部８に表示させる。この状態で、携帯端末の使用者が操作部１１を操作して応答すると、制御部３は、送受信部４および音声入出力部９を制御して、外部機器との間で通話路を形成する。
【００２５】
一方、照度センサー７にて検出された照度の値が所定値未満であると制御部３にて判定した場合に、制御部３は、着信音の音声信号と発呼者を特定する情報とをインターフェース１０を介してハンズフリー部２へ出力する。ハンズフリー部２の通信部１３は、着信音の音声信号と発呼者を特定する情報とを入力する。すると、ハンズフリー制御部１２は、音声変換部１４を動作させて、発呼者を特定する情報を音声に変換してハンズフリー音声入出力部１５に出力させる。また、ハンズフリー制御部１２は、音声変換部１４を制御して、着信音の音声信号を呼び出しの発生を示す音声に変換してハンズフリー音声入出力部１５に出力させる。
【００２６】
ハンズフリー音声入出力部１５のマイクは、呼び出しが行われたことを示す音声、および、発呼者を特定する音声を出力する。具体的には、ハンズフリー音声入出力部１５のスピーカーは、「着信があります。○○からの着信です。」といった音声を出力する（「○○」は、発呼者を特定する情報）。この状態で、携帯端末の使用者がハンズフリー音声入出力部１５のマイクに応答する旨を示す音声を入力すると、ハンズフリー制御部１２は、応答信号を生成して、通信部１３により本体１へ出力するとともに、ハンズフリー音声入出力部１５を制御して、本体１を介した外部機器との通話路の形成を待機状態とする。本体１の制御部３は、インターフェース１０が応答信号を入力すると、送受信部４を制御して、ハンズフリー部２と外部機器との間で通話路を形成する。すると、ハンズフリー部２のハンズフリー音声入出力部１５では通話が可能となる。
【００２７】
なお、照度センサー７による照度の値の検出は、応答が行われるまで継続して行われ、照度の値が変化した場合には、制御部３は、その値が所定値以上であるか所定値未満であるかを判定する。そのため、着信が行われている最中に状態が変化することも考えられる。
【００２８】
このように構成された携帯端末の動作例について、図２を参照して説明する。図２（Ａ）に示すように、使用者が携帯端末の本体１をポケットから出している状態で、外部機器が呼び出しを行うと、携帯端末の本体１では、着信信号を受信し、周囲の照度を検出する。本体１がポケットの外にあるため、照度の値は所定の値以上となる。従って、着信を示す音声、および、発呼者を特定する情報を示す音声がハンズフリー部２から出力される。このとき、本体１の表示部８には発呼者を特定する情報は表示されず、音声入出力部９は着信音を鳴らさない。
【００２９】
また、図２（Ｂ）に示すように、使用者が携帯端末の本体１をポケットに入れている状態で、外部機器が呼び出しを行うと、携帯端末の本体１では、着信信号を受信し、周囲の照度を検出する。本体１がポケットの中にあるため、照度の値は所定の値未満となる。従って、発呼者を特定する情報が本体１の表示部８に表示され、着信音が本体１の音声入出力部９から出力される。このとき、ハンズフリー部２は動作しない。
【００３０】
以上詳しく説明したように、本実施形態によれば、着信時に携帯端末の本体１の周囲の照度の値が所定値未満である場合に、呼び出しの発生を示す音声および発呼者を特定する音声を、本体１と離れた場所に設けられたハンズフリー部２のハンズフリー音声入出力部１５から出力させ、着信音を本体１に設けた音声入出力部９から出力させず、発呼者を特定する情報を本体１に設けた表示部８に表示させないようにしている。一方、着信時に携帯端末の本体１の周囲の照度の値が所定値以上である場合に、着信音を本体１に設けた音声入出力部９から出力させ、発呼者を特定する情報を本体１に設けた表示部８に表示させて、ハンズフリー音声入出力部１５から呼び出しの発生を示す音声および発呼者を特定する音声を出力させないようにしている。
【００３１】
これにより、携帯端末の本体１が袋状のポケットなどに入れられている場合には、照度センサー７により検出された照度の値が所定値未満となり、着信時に本体１と離れた場所に設けられたハンズフリー部２から呼び出しの発生を示す音声および発呼者を特定する音声が出力され、携帯端末の本体１がポケットなどから出されている場合には、照度センサー７により検出された照度の値が所定値以上となり、着信時に着信音が本体１に設けた音声入出力部９から出力され、発呼者を特定する情報が本体１に設けた表示部８に表示されて、ハンズフリー音声入出力部１５から呼び出しの発生を示す音声および発呼者を特定する音声が出力されないので、使用者が携帯端末の本体１をポケットなどから出した場合に、使用者は表示部８に表示される情報を見ることで、呼び出しを行った相手を直ぐに特定することができる。従って、使用者が携帯端末の本体１をポケットなどから出しているか否かを正確に判別し、使用者が携帯端末の本体１をポケットなどから出している場合には、着信に対する応答を迅速に行うことができる。
【００３２】
なお、前述した実施形態では、ハンズフリー音声入出力部１５は呼び出しの発生を示す音声を出力しているが、これに限定されない。例えば、ハンズフリー音声入出力部１５が着信音をそのまま出力するようにしても良い。
【００３３】
また、前述した実施形態では、音声変換部１４および音声認識部１６をハンズフリー部２に設けているが、これに限定されない。例えば、音声変換部１４および音声認識部１６を本体１に設けるようにしても良い。
【００３４】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３５】
１    本体
２    ハンズフリー部
３    制御部
４    送受信部
５    着信判定部
６    記憶部
７    照度センサー
８    表示部
９    音声入出力部
１０    インターフェース
１１    操作部
１２    ハンズフリー制御部
１３    通信部
１４    音声変換部
１５    ハンズフリー音声入出力部
１６    音声認識部
【図１】
2014011593.tif 000003
【図２】
2014011593.tif 000004